(57)【要約】電子構成部品のカード状支持部材、特にISO7816チップカード(９)のための接続ユニットであって、プラグインカード状のケース(２)を備えていて、このケース(２)がベースプレート(３)と、横断方向で合同のカバープレート(６)とを有していて、ベースプレート(３)とカバープレート(６)との間にケース(２)の一方の端面に開口している、チップカード(９)を受容するためのスリット状の挿入通路(８)が形成されているものに関する。この端面と反対側の端面に特にPCMCIA規格による差込み接続条片(４)を付けており、ケース（２）内には差込み接続条片(４)と電気的に接続している回路基板が挿入通路(８)と平行に配置されており、この回路基板の表面にはチップカード(９)の接続のための接続区域が設けられており、ベースプレート(３)のみがチップカード(９)の挿入方向で挿入通路(８)の開口部の前に位置する領域に延びている扁平な下唇状の継足し部(12)だけ延長されている。
2005529431.tif 000002
【特許請求の範囲】
【請求項１】
電子構成部品のカード状支持部材、特にISO7816チップカード(９)のための接続ユニット
であって、プラグインカード状のケース(２)を備えていて、このケース(２)がベースプレート(３)と、横断方向で合同のカバープレート(６)とを有していて、ベースプレート(３)とカバープレート(６)との間にケース(２)の一方の端面に開口している、チップカード(
９)を受容するためのスリット状の挿入通路(８)が形成されており、当該ケース(２)がこ
の端面と反対側の端面に特にPCMCIA規格による差込み接続条片(４)を備え、さらに接続ユニットが差込み接続条片(４)に対して電気的に接続されている回路基板を有し、回路基板がケース（２）内において挿入通路(８)に対して平行に配置され、回路基板の表面にチップカード(９)が接続されるための接続区域を備え、ベースプレート(３)のみがチップカード(９)の挿入方向で挿入通路(８)の開口部の前に位置する領域に延びている扁平な下唇状の継足し部(12)だけ延長されていることを特徴とする接続ユニット。
【請求項２】
継足し部(12)の幅がケース(２)を横切る方向においてベースプレート(３)の幅に等しいか、ベースプレート（３）の幅より小さいことを特徴とする請求項１記載の接続ユニット。
【請求項３】
継足し部(12)が少なくとも１つの取出し補助部(12a)を有していることを特徴とする請求
項１又は２に記載の接続ユニット。
【請求項４】
継足し部(12)がプラスチック及び／又は金属からなることを特徴とする請求項１乃至３のいずれか１項に記載の接続ユニット。
【請求項５】
継足し部(12)がＵ字形に、すなわち側方の案内ウェブ(14,15)を付けて形成されているこ
とを特徴とする請求項１乃至４のいずれか１項に記載の接続ユニット。
【請求項６】
U字形継足し部の上側カバーを特徴とする請求項５に記載の接続ユニット。
【請求項７】
ベースプレート(３)とカバープレート(６)との接続が差込み接続条片(４)の領域で行われていることを特徴とする請求項１乃至６のいずれか１項に記載の接続ユニット。
【請求項８】
挿入通路(８)はチップカード(９)の挿入方向おいて全長にわたって両側が連続して開いており、さらにベースプレート(３)は差込み接続条片(４)の領域でのみカバープレート(６)と接続されていて、しかもベースプレート(３)とカバープレート(６)との間に予荷重が与えられていることを特徴とする請求項１乃至７のいずれか１項に記載の接続ユニット。
【請求項９】
継足し部(12)が所定の破断線(13)を介してベースプレート(３)と接続されていることを特徴とする請求項１乃至８のいずれか１項に記載の接続ユニット。
【請求項１０】
継足し部(12)が１つ以上の所定の破断点を介してベースプレート(３)と接続されていることを特徴とする請求項１乃至９のいずれか１項に記載の接続ユニット。
【請求項１１】
継足し部(12)によって形成された拡張領域が、個別にベースプレートから分離可能な部分セグメントから形成されていることを特徴とする請求項１乃至10のいずれか１項に記載の接続ユニット。
【請求項１２】
継足し部(12)が及び／又は側方の案内ウェブ(14、15)が貫通孔(18)及び／又は係止要素を付けていることを特徴とする請求項１乃至11のいずれか１項に記載の接続ユニット。
【請求項１３】
１つ以上の電気的モジュール(19)を付加的に受容し、しかも回路基板との電気的接続端子
(24/25)が設けられていることを特徴とする請求項12に記載の接続ユニット。
【発明の詳細な説明】
【技術分野】
【０００１】
本発明は、電子構成部品のカード状支持部材、特にISO7816チップカードのための接続
ユニットであって、プラグインカード状のケースを備えていて、このケースがベースプレートと、横断方向で合同のカバープレートとを有していて、ベースプレートとカバープレートとの間にケースの一方の端面に開口している、チップカードを受容するためのスリット状の挿入通路が形成されており、当該ケースがこの端面と反対側の端面に特にPCMCIA規格による差込み接続条片を付けており、さらに当該接続ユニットが差込み接続条片と電気的に接続している回路基板を有しており、この回路基板が挿入通路と平行にケース内に配置されていて、その表面にチップカードの接続のための接続区域を付けているものに関する。
【背景技術】
【０００２】
この種類のチップカード読取り装置は、たとえば特許文献１に記載されている。チップカード読取り装置は、特にPCMCIA規格に従う差込み接続条片を介してデータ処理システム、たとえばノートブックに接続するのに適しており、そこでデータの評価又はアプリケーションの実行、たとえばデータ網へのアクセス権の開放、ホームバンキングの実施、あるいはまたメモリ拡張、電話利用などに用いられる。このようなチップカード読取り装置の別の用途は、デジタル・テレビと接続するコモン・インタフェースとして与えられている。すべてのノートブック・アプリケーションに対して、特にPCMCIAタイプIIに従う短いバージョンの読取り装置が使用される。これらの読取り装置はノートブックの挿入孔に完全に沈み込むことができ、使用状態で可搬性や取扱いに支障を来たすような継足し部分は存在しない。これに対して、たとえばいわゆるセット・トップ・ボックスにおけるデジタルＴＶ及び／又はペイＴＶアプリケーションでは長いバージョンの読取り装置が使用され、ケースは後の領域、つまり差込み接続条片とは反対側の端面に延長部を付けている。この延長部は使用されるチップカードを案内するとともに、読取り装置の取扱いを簡単にする働きがある。延長領域はチップカードに一種の前段ガイドをなし、消費者市場で高い負荷がかかる使用条件に対してチップカード読取り装置を機械的に安定させる。使用位置でコンピュータのモジュール受容スリットから突出している拡張部を有するこのような読取り装置を使用することは、たとえばノートブックでは禁じられる。なぜならば、そこでは携帯取扱いにおいて接続安定性が損なわれ、運搬上の問題が生じる危険があるからである。
【０００３】
冒頭に記載した種類の接続ユニットの従来公知の構成における短所は、チップカードを接続ユニットに差し入れ、もしくは接続ユニットから取り出す際に不十分な案内しか提供されず、その結果として時々差し入れ、もしくは取り出す際にチップカードが破損し、及び／又は正しく接続しないことがある点である。さらにこの種の接続ユニットをPCMCIA孔、特にデジタルＴＶ及び／又はペイＴＶアプリケーションの分野で使用するための深い位置にあるPCMCIA孔から取り出すことが困難にされている。
【特許文献１】ドイツ実用新案登録第２９８１１４２５号明細書
【発明の開示】
【発明が解決しようとする課題】
【０００４】
以上の従来技術に鑑み、本発明の基礎をなしている課題は、冒頭に記載した種類の接続ユニットを改善して、チップカードを接続ユニット内に確実に、特に破損しないように導入し、かつ接続ユニットをPCMCIA孔、特にデジタルＴＶ及び／又はペイＴＶアプリケーションの分野で使用するための深い位置にあるPCMCIA孔からより良好に取り出すことを可能にすることにある。
【課題を解決するための手段】
【０００５】
この課題を解決するために本発明に従い、ケース拡張部のない短いバージョンの、冒頭に記載した種類の接続ユニットにおいて、ベースプレートのみが扁平な下唇状の継足し部だけ延長されており、この継足し部がチップカードの挿入方向で挿入通路の開口部の前に位置する領域に延びているようにした。
【０００６】
ベースプレートの扁平な下唇状の継足し部はチップカードを接続ユニット内に垂直に導入させる働きをして、チップカードが確実に、かつ破損することなく接続ユニット内に導入可能であることを保証する。さらに接続ユニットは、継足し部により対応するPCMCIA孔からより簡単に抜き取ることができる。
【０００７】
本発明の有利な構成において、継足し部の幅がケースの横断方向でベースプレートの幅を基準にして等しいか、より小さい。継足し部の幅はPCMCIA標準及び／又はISO7816標準
に等しいか、又はより狭いことが好ましく、これは継足し部の幅54.00mm以下に相当する
。
【０００８】
継足し部が少なくとも１つの取出し補助部を有していることが有利であり、この取出し補助部はPCMCIA孔から取り出す際に接続ユニットの取扱いを改善する。本発明の好適な構成において取出し補助部は、継足し部の側に成形された突出部であり、これは継足し部の側方に形成されていることが好ましい。
【０００９】
本発明の別の有利な構成において、継足し部はプラスチック及び／又は金属からなる。
用途に応じてノートブックやこれに類する携帯使用のための短い構造の読取り装置を提供できるようにし、さらに拡張部を付けたロングバージョンを固定使用、たとえばデジタルＴＶ及び／又はペイＴＶアプリケーションで使えるようにし、しかも（種々の装置に異なる製造法と機械を適用しなければならず、そのうえ全物流及び保管が複雑になるので）上記の条件を満たして接続ユニットを製造するうえでの著しい困難を取り除かなければならない、という必要性を考慮して、本発明の別の有利な構成において、扁平な下唇状の継足し部が所定の破断線を介してベースプレートと接続されていることが提案される。このようにすると製造プロセスから、接続ユニットのショートバージョンもロングバージョンも生産できるので有利である。チップカード読取り装置のそれ自体公知のロングバージョンと、それぞれの使用目的に応じて、下唇状又はＵ字形又は箱形に成形され選択により所定の破断線で分離可能な継足し部とを組み合わせることにより、単に拡張部の分離可能性を利用する（ノートブック・アプリケーション）か、しない（デジタルＴＶ用）かによって、唯一の製造プロセスからショートバージョン（ノートブックに使用）又は拡張バージョン（セット・トップ・ボックスにおけるデジタルＴＶ用）を作ることが可能になる。
【００１０】
本発明の別の有利な構成において、チップカードの案内を改善するために、継足し部をＵ字形に、すなわち側辺部を付けて形成すると有利である。特別の使用例では、通常は開いているＵ字形継足し部の上側カバーも設けることができる。
【００１１】
ベースプレートとカバープレートとの接続が差込み接続条片の領域で行われているのが好ましく、溶接継目、超音波溶接、接着又はねじ止めで行うことができる。この際に、挿入通路はチップカードの挿入方向で全長にわたって両側が連続して開いており、さらにベースプレートは差込み接続条片の領域でのみカバープレートと接続されていて、しかもベースプレートとカバープレートとの間に予荷重が設けられるようになっていることが好都合である。このようにするとチップカードを挿入することにより、ベースプレートとカバープレートとの間で復元力の作用に抗してわずかな旋回運動が行われる。この実施の形態はショートバージョンでもロングバージョンにおいても、挿入通路内に挿入するとチップカードが読取り装置内で締め付けるように保持され、しかも接続ユニットの高い形状安定
性と製造に起因する誤差の補償が達成されるという利点を提供する。接続ユニットの従来公知のロングバージョンでは、この有利な方策は講じ得ない。
【００１２】
本発明の別の構成に従い、継足し部が１つ以上の所定の破断点を介してベースプレートと接続されていることが有利であり得る。継足し部によって形成される拡張領域を、それぞれの成形に応じて切離し可能な部分セグメントから形成すると合理的であろう。
【００１３】
本発明の別の構成に従い、継足し部及び／又は側方の案内ウェブが貫通部及び／又は係止要素を付けている。これらの貫通部及び／又は係止要素ロングバージョンにおいて別の電気的モジュールを付加的に、又は後から受容することを可能にし、しかも回路基板との電気的接続が設けられているようにしてもよい。このようなモジュールは、メモリ拡張部、比較的小さいメモリカード（たとえばSIMカード、マルチメディアカード、コンパクト
・フラッシュ・カード、スマート・メディア・カードなど）用のアダプタ、ファックス／モデム、ISDN、ADSL又はLWL伝送ならびに入力装置用の接続手段、たとえばキーボード又
はバイオメトリック入力装置を含むことができる。
【発明を実施するための最良の形態】
【００１４】
以下に、本発明の対象の上記以外の詳細、特徴及び利点は、本発明による接続ユニットの種々の実施の形態を示した付属の図面に基づいて説明する。
図１及び図２に示された本発明の実施例は、チップカード読取り装置として構成された接続ユニット１を示している。この接続ユニット１は、規格化されたPCMCIAインタフェースを介してデジタル・テレビ（図示しない）用のセット・トップ・ボックスと接続するようにしてある。接続ユニット１はベースプレート３と、矢印で示したセット・トップ・ボックスに挿入する方向で前方の端部に設けた68極備えた差込み接続条片４の形のPCMCIA接続区域と、反対側の端部に設けた、ISO7816チップカード９を導入するための上側及び下
側の挿入ガイド５、５aと、ベースプレート３と間隔を置いて平行に延びて差込み接続条
片４の領域（矢印参照）でベースプレート３と剛性的に接続されているカバープレート６とを有する2重シェル構造の外ケース２からなる。ケース２の内部にはベースプレートと
間隔を置いて平行に、図面では認識できない回路基板が配置されていて、しかもその間に挿入ガイド５、5aの間で延びている挿入スリット10を通して接続ユニット１内に挿入可能なISO7816チップカード９に対する挿入通路８が形成される。チップカード９は図１及び
図２に示した両矢７の方向で接続ユニット１に挿入でき、またそこから再び引き抜くことができ、その際に表面上に配置されたチップカード９のチップ区域11と、回路基板の下側の内側接続区域（認識できない）とによって接続を生じさせることができる。この接続は、チップカード９を加工することにより、接続ユニット１がセット・トップ・ボックスの挿入スリットに挿入されて、差込み接続条片４を介してPCMCIAインタフェースと接続されると可能になる。
【００１５】
図面から認識されるように、挿入通路８はチップカードの挿入方向で全長にわたって両側が連続して開いており、さらにベースプレート３は差込み接続条片の領域（矢印で示された接続領域）でのみカバープレート６と接続されている。しかもこの接続は、ベースプレート３とカバープレート６との間に予荷重が設けられているように構成されている。この予荷重の結果として、チップカード９が挿入されていない状態では挿入通路８は挿入スリット10の方に向かって狭まる。チップカード９が挿入通路８に挿入されると、カバープレート６を予荷重の作用に抗して強制的に上方にわずかに旋回させるので、チップカード９に対する締付け機能が達成される。
【００１６】
接続ユニット１のベースプレート３は、チップカード９の挿入方向で挿入通路８の開口部の前に位置する領域に延びている扁平な下唇状の継足し部12によって延長されている。この場合、継足し部12の幅はケース２の横断方向でベースプレート３の幅を基準にして等
しいか（図１）、又はより小さい（図２）。ベースプレート３の扁平な下唇状の継足し部12は、挿入通路８の開口部の前の領域で拡張部を形成する。この拡張部はチップカード９が挿入通路８内に垂直導入され得るように働いて、特にチップカード９が破損することなく確実に導入され得るようにする。さらに、継足し部12により接続ユニット１を、低い位置にある、特にデジタル・テレビ用のセット・トップ・ボックスで慣用のPCMCIA孔から、より簡単で良好に取り出すことが可能になる。接続ユニット１の取扱いをさらに改善するために、図２に示すように、接続ユニット１の継足し部12は、最も外側の端部に側方に配置された２つの突起状の加工成形を有しており、これらはデジタル・テレビ用のセット・トップ・ボックスから接続ユニット１を取り出すための取出し補助部12aとして働く。
【００１７】
図３に示された本発明の実施例は、チップ読取り装置として構成されて、規格化されたPCMCIAインタフェースを介してデジタル・テレビ（図示しない）用のセット・トップ・ボックスと接続するようにして接続ユニット１を示している。接続ユニット１はベースプレート３と、矢印で示したセット・トップ・ボックスに挿入する方向で前方の端部に設けた68極備えた差込み接続条片４の形のPCMCIA接続区域と、反対側の端部に設けた、ISO7816
チップカード９を導入するための上側及び下側の挿入ガイド５、５aと、ベースプレート
３と間隔を置いて平行に延びて差込み接続条片４の領域（矢印参照）でベースプレート３と剛性的に接続されているカバープレート６とを有する2重シェル構造の外ケース２から
なる。ケース２の内部にはベースプレートと間隔を置いて平行に、図面では認識できない回路基板が配置されていて、しかもその間に挿入ガイド５、５aの間で延びている挿入ス
リット10を通して接続ユニット１内に挿入可能なISO7816チップカード９に対する挿入通
路８が形成される。チップカード９は図３に示した両矢７の方向で接続ユニット１に挿入でき、またそこから再び引き抜くことができ、その際に表面上に配置されたチップカード９のチップ区域11と、回路基板の下側の内側接続区域（認識できない）とによって接続を生じさせることができる。この接続は、チップカード９を加工することにより、接続ユニット１がセット・トップ・ボックスの挿入スリットに挿入されて、差込み接続条片４を介してPCMCIAインタフェースと接続されると可能になる。
【００１８】
図面から認識されるように、挿入通路８はチップカードの挿入方向で全長にわたって両側が連続して開いており、さらにベースプレート３は差込み接続条片の領域（矢印で示された接続領域）でのみカバープレート６と接続されている。しかもこの接続は、ベースプレート３とカバープレート６との間に予荷重が設けられているように構成されている。この予荷重の結果として、チップカード９が挿入されていない状態では挿入通路８は挿入スリット10の方に向かって狭まる。チップカード９が挿入通路８に挿入されると、カバープレート６を予荷重の作用に抗して強制的に上方にわずかに旋回させるので、チップカード９に対する締付け機能が達成される。
【００１９】
接続ユニット１のベースプレート３は、このベースプレート３と所定の破断線１３を介して接続されている扁平な下唇状の継足し部12によって延長されている。この方策により、ショートバージョンを製造するために所定の破断線１３を利用して継足し部１２を折り取るか、又はロングバージョンを製造するためにそのままにしておくかによって、唯一の製造プロセスから接続ユニットのショートバージョンも接続ユニット１のロングバージョンも生産できることが認識できる。図面の図４に示すチップカード９の案内を改善するために、継足し部12に側方の案内ウェブ14、15を付けて継足し部をＵ字形に形成することができる。側方案内ウェブ14、15は継足し部12とのみ接続されており、ショートバージョンを製造するために継足し部12と一緒に折り取ることによって除去できることを指摘しておく。
【００２０】
上記の説明から明らかなように、説明されたケースコンセプトはデジタル・テレビ、特にセット・トップ・ボックスに使用される拡張バージョンで製造されたチップ読取り装置
は、拡張領域もしくは継足し部12を、場合によっては側方案内ウェブ14、15と一緒に分離することにより、特にノートブック・アプリケーションに使用できるショートバージョンに改造する可能性を提供する。
【００２１】
チップ読取り装置16もしくは17の、図５及び図６に示した実施の形態が、図１及び図２について先に説明したのと異なる点は、継足し部12及び／又は側方案内ウェブ14、15が、係止要素が突入係合できる貫通部18を付けていることである。これらの係止要素は、ロングバージョンで別の電気的モジュールを付加的に保持できるようにするために設けることができる。
【００２２】
このようなモジュール19が図面の図７に概略的な斜視図で示されている。ほぼ角柱のモジュール19は、側方案内ウェブ14、15を付けた継足し部12の自由な内室に対応する寸法を有し、側方に係止突起21を付けている。モジュール19はプラグ23を接続するためのプラグ差込み部22を有しており、前側に接続面24を有している。この接続面24は、モジュール19が挿入されて側方案内ウェブ14、15の貫通部18と係合しているとき、付属のチップカード読取り装置20の対応する接続面25と協働する。
【００２３】
図面に示された実施例は、本発明の説明に供するものにすぎず、本発明を制限するものではない。
【図面の簡単な説明】
【００２４】
【図１】本発明による接続ユニットを示すの斜視図。
【図２】本発明による接続ユニットの別の斜視図。
【図３】本発明による接続ユニットのロングバージョンの別の斜視図。
【図４】Ｕ字形継足し部を備える接続ユニットの変形例を示す斜視図。
【図５】接続ユニットのロングバージョンの変形例を示す斜視図。
【図６】変形例を示す斜視図。
【図７】接続ユニットのロングバージョンで使用可能な付加的な電気的モジュールを示す斜視図。
【符号の説明】
【００２５】
１…接続ユニット、２…外側ケース、３…ベースプレート、４…差込み接続条片、５…挿入ガイド、5a…挿入ガイド、６…カバープレート、７…両方向への矢印、８…挿入通路、９…チップカード、10…挿入スリット、11…チップ区域、12…継足し部、12a…取出し補
助部、13…所定の破断線、14…案内ウェブ、15…案内ウェブ、16…チップカード読取り装置、17…チップカード読取り装置、18…貫通部、19…モジュール、20…チップカード読取り装置、21…係止突起、22…プラグ差込み部、23…プラグ、24…接続面、25…接続面。
【図１】
2005529431.tif 000003
【図２】
2005529431.tif 000004
【図３】
2005529431.tif 000005
【図４】
2005529431.tif 000006
【図５】
2005529431.tif 000007
【図６】
2005529431.tif 000008
【図７】
2005529431.tif 000009
【国際調査報告】
2005529431.tif 000010
2005529431.tif 000011
2005529431.tif 000012
2005529431.tif 000013
2005529431.tif 000014
2005529431.tif 000015